【手続補正書】
【提出日】平成18年12月19日(2006.12.19)
【手続補正１】
【補正対象書類名】明細書
【補正対象項目名】発明の名称
【補正方法】変更
【補正の内容】
【発明の名称】高周波増幅装置および受信システム
【手続補正２】
【補正対象書類名】明細書
【補正対象項目名】特許請求の範囲
【補正方法】変更
【補正の内容】
【特許請求の範囲】
【請求項１】  トランジスタを有する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする高周波増幅装置。
【請求項２】  コンデンサを有し、前記増幅素子からの出力信号を前記増幅素子への入力信号に帰還する帰還回路をさらに含むことを特徴とする請求項１記載の高周波増幅装置。
【請求項３】  前記増幅素子は、前記トランジスタとして、エミッタ接地形式のバイポーラトランジスタを有し、
前記増幅素子からの出力信号は、前記バイポーラトランジスタのコレクタから出力され、
前記負帰還信号は、前記バイポーラトランジスタのエミッタに帰還されることを特徴とする請求項１または２記載の高周波増幅装置。
【請求項４】  前記２次巻線に接続され、前記バイポーラトランジスタのエミッタにバイアスを与えるバイアス回路をさらに含むことを特徴とする請求項３記載の高周波増幅装置。
【請求項５】  前記増幅素子は、前記トランジスタとして、ソース接地形式の電界効果トランジスタを有し、
前記増幅素子からの出力信号は、前記電界効果トランジスタのドレインから出力され、
前記負帰還信号は、前記電界効果トランジスタのソースに帰還されることを特徴とする請求項１または２に記載の高周波増幅装置。
【請求項６】  前記２次巻線に接続され、前記電界効果トランジスタのソースにバイアスを与えるバイアス回路をさらに含むことを特徴とする請求項５に記載の高周波増幅装置。
【請求項７】  入力信号を増幅して出力する増幅手段と、
前記増幅手段からの出力信号を受信する受信装置とを備え、
前記増幅手段は、
トランジスタを有し、前記入力信号が入力され、前記出力信号を出力する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする受信システム。
【請求項８】  無線電波を検知するアンテナと、
前記アンテナで検知された信号を増幅して出力する増幅手段と、
前記増幅手段からの出力信号を受信する受信装置とを備え、
前記増幅手段は、
トランジスタを有し、前記アンテナで検知された信号が入力信号として入力され、前記出力信号を出力する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする受信システム。
【手続補正３】
【補正対象書類名】明細書
【補正対象項目名】０００１
【補正方法】変更
【補正の内容】
【０００１】
【発明の属する技術分野】
本発明は、放送や無線通信などの高周波信号を増幅する高周波増幅装置および受信システムに関する。
【手続補正４】
【補正対象書類名】明細書
【補正対象項目名】０００８
【補正方法】変更
【補正の内容】
【０００８】
本発明の目的は、過大なレベルの信号によって発生する歪みを低減し、入力信号に与える妨害を抑制することができる高周波増幅装置および受信システムを提供することである。
【手続補正５】
【補正対象書類名】明細書
【補正対象項目名】０００９
【補正方法】変更
【補正の内容】
【０００９】
【課題を解決するための手段】
本発明は、トランジスタを有する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする高周波増幅装置である。
【手続補正６】
【補正対象書類名】明細書
【補正対象項目名】００１０
【補正方法】変更
【補正の内容】
【００１０】
本発明に従えば、増幅素子は、トランジスタを有し、入力信号を増幅して出力する。増幅素子からの出力信号は、トランスの１次巻線に入力され、トランスの１次巻線からトランスの２次巻線に伝達される。トランスの２次巻線は、増幅素子への入力信号と同相の負帰還信号を増幅素子に出力する。このような高周波増幅装置は、トランスの１次巻線と２次巻線との巻数比に基づく安定な負帰還増幅回路として動作し、過大入力に伴う歪みを低減することができる。
【手続補正７】
【補正対象書類名】明細書
【補正対象項目名】００１１
【補正方法】変更
【補正の内容】
【００１１】
また本発明は、コンデンサを有し、前記増幅素子からの出力信号を前記増幅素子への入力信号に帰還する帰還回路をさらに含むことを特徴とする。
【手続補正８】
【補正対象書類名】明細書
【補正対象項目名】００１２
【補正方法】変更
【補正の内容】
【００１２】
本発明に従えば、コンデンサを介して増幅素子からの出力信号を増幅素子への入力信号に帰還する。このようにして２系統の負帰還を行うことができる。この場合、コンデンサの容量値などを調整することによって、高周波増幅装置としての利得調整を容易に行うことができる。
【手続補正９】
【補正対象書類名】明細書
【補正対象項目名】００１３
【補正方法】変更
【補正の内容】
【００１３】
また本発明で、前記増幅素子は、前記トランジスタとして、エミッタ接地形式のバイポーラトランジスタを有し、
前記増幅素子からの出力信号は、前記バイポーラトランジスタのコレクタから出力され、
前記負帰還信号は、前記バイポーラトランジスタのエミッタに帰還されることを特徴とする。
【手続補正１０】
【補正対象書類名】明細書
【補正対象項目名】００１４
【補正方法】変更
【補正の内容】
【００１４】
本発明に従えば、トランジスタとして、エミッタ接地形式のバイポーラトランジスタが用いられる。このバイポーラトランジスタは、ベースに入力される入力信号を増幅して出力する。バイポーラトランジスタのコレクタからの出力信号は、トランスの１次巻線に入力され、トランスの１次巻線からトランスの２次巻線に伝達される。トランスの２次巻線は、バイポーラトランジスタのベースへの入力信号と同相の負帰還信号を、バイポーラトランジスタのエミッタに出力する。これによって接地電位に対するベースへの入力信号電圧の変化が、エミッタへの負帰還信号の変化で相殺され、過大な入力となるのを防ぐことができる。
【手続補正１１】
【補正対象書類名】明細書
【補正対象項目名】００１５
【補正方法】変更
【補正の内容】
【００１５】
また本発明は、前記２次巻線に接続され、前記バイポーラトランジスタのエミッタにバイアスを与えるバイアス回路をさらに含むことを特徴とする。
【手続補正１２】
【補正対象書類名】明細書
【補正対象項目名】００１６
【補正方法】変更
【補正の内容】
【００１６】
本発明に従えば、バイアス回路によって、エミッタにバイアスを与える。このようなバイアス回路にトランスの２次巻線が接続されるので、確実に負帰還を行うことができる。
【手続補正１３】
【補正対象書類名】明細書
【補正対象項目名】００１７
【補正方法】変更
【補正の内容】
【００１７】
また本発明で、前記増幅素子は、前記トランジスタとして、ソース接地形式の電界効果トランジスタを有し、
前記増幅素子からの出力信号は、前記電界効果トランジスタのドレインから出力され、
前記負帰還信号は、前記電界効果トランジスタのソースに帰還されることを特徴とする。
【手続補正１４】
【補正対象書類名】明細書
【補正対象項目名】００１８
【補正方法】変更
【補正の内容】
【００１８】
本発明に従えば、トランジスタとして、ソース接地形式の電界効果トランジスタが用いられる。この電界効果トランジスタは、ゲートに入力される入力信号を増幅して出力する。電界効果トランジスタのドレインからの出力信号は、トランスの１次巻線に入力され、トランスの１次巻線からトランスの２次巻線に伝達される。トランスの２次巻線は、電界効果トランジスタのゲートへの入力信号と同相の負帰還信号を、電界効果トランジスタのソースに出力する。これによって接地電位に対するゲートへの入力信号電圧の変化が、ソースへの負帰還信号の変化で相殺され、過大な入力となるのを防ぐことができる。
【手続補正１５】
【補正対象書類名】明細書
【補正対象項目名】００１９
【補正方法】変更
【補正の内容】
【００１９】
さらに本発明は、前記２次巻線に接続され、前記電界効果トランジスタのソースにバイアスを与えるバイアス回路をさらに含むことを特徴とする。
【手続補正１６】
【補正対象書類名】明細書
【補正対象項目名】００２０
【補正方法】変更
【補正の内容】
【００２０】
本発明に従えば、バイアス回路によって、ソースにバイアスを与える。このようなバイアス回路にトランスの２次巻線が接続されるので、確実に負帰還を行うことができる。
【手続補正１７】
【補正対象書類名】明細書
【補正対象項目名】００２１
【補正方法】変更
【補正の内容】
【００２１】
また本発明は、入力信号を増幅して出力する増幅手段と、
前記増幅手段からの出力信号を受信する受信装置とを備え、
前記増幅手段は、
トランジスタを有し、前記入力信号が入力され、前記出力信号を出力する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする受信システムである。
【手続補正１８】
【補正対象書類名】明細書
【補正対象項目名】００２２
【補正方法】変更
【補正の内容】
【００２２】
本発明に従えば、増幅手段によって入力信号を増幅して出力する。受信装置は、増幅手段からの出力信号を受信する。増幅手段において、増幅素子は、トランジスタを有し、入力信号を増幅して出力する。増幅素子からの出力信号は、トランスの１次巻線に入力され、トランスの１次巻線からトランスの２次巻線に伝達される。トランスの２次巻線は、増幅素子への入力信号と同相の負帰還信号を、増幅素子に出力する。このような増幅手段は、トランスの１次巻線と２次巻線との巻数比に基づく安定な負帰還増幅回路として動作し、過大入力に伴う歪みを低減することができる。したがって受信装置での受信に対する妨害を抑制することができる。
【手続補正１９】
【補正対象書類名】明細書
【補正対象項目名】００２３
【補正方法】変更
【補正の内容】
【００２３】
また本発明は、無線電波を検知するアンテナと、
前記アンテナで検知された信号を増幅して出力する増幅手段と、
前記増幅手段からの出力信号を受信する受信装置とを備え、
前記増幅手段は、
トランジスタを有し、前記アンテナで検知された信号が入力信号として入力され、前記出力信号を出力する増幅素子と、
１次巻線および２次巻線を有するトランスであって、前記１次巻線には前記増幅素子からの出力信号が入力され、前記２次巻線は前記増幅素子への入力信号と同相の負帰還信号を前記増幅素子に出力するトランスとを含むことを特徴とする受信システムである。
【手続補正２０】
【補正対象書類名】明細書
【補正対象項目名】００２４
【補正方法】変更
【補正の内容】
【００２４】
本発明に従えば、アンテナによって無線電波が検出される。アンテナによって検出された信号は、入力信号として増幅手段に入力され、増幅手段によって増幅されて出力される。受信装置では、増幅手段からの出力信号を受信する。増幅手段において、増幅素子は、トランジスタを有し、入力信号を増幅して出力する。増幅素子からの出力信号は、トランスの１次巻線に入力され、トランスの１次巻線からトランスの２次巻線に伝達される。トランスの２次巻線は、増幅素子への入力信号と同相の負帰還信号を、増幅素子に出力する。このような増幅手段は、トランスの１次巻線と２次巻線との巻数比に基づく安定な負帰還増幅回路として動作し、過大入力に伴う歪みを低減することができる。したがって受信装置での希望波の受信に対する妨害を抑制することができる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００５２
【補正方法】変更
【補正の内容】
【００５２】
【発明の効果】
以上のように本発明によれば、負帰還経路にはトランスが用いられるので、１次巻線と２次巻線との巻数比に基づく安定な負帰還増幅回路として動作し、過大入力に伴う歪みを低減することができる。
【手続補正２４】
【補正対象書類名】明細書
【補正対象項目名】００５３
【補正方法】変更
【補正の内容】
【００５３】
また本発明によれば、コンデンサを介して増幅素子からの出力信号を増幅素子への入力信号に帰還する。このようにして２系統の負帰還を行うことができる。この場合、コンデンサの容量値などを調整することによって、高周波増幅回路としての利得調整を容易に行うことができる。
【手続補正２５】
【補正対象書類名】明細書
【補正対象項目名】００５４
【補正方法】変更
【補正の内容】
【００５４】
また本発明によれば、トランジスタとして、エミッタ接地形式のバイポーラトランジスタが用いられる。このバイポーラトランジスタは、ベースに入力される入力信号を増幅して出力する。バイポーラトランジスタのコレクタからの出力信号は、トランスの１次巻線に入力され、トランスの１次巻線からトランスの２次巻線に伝達される。トランスの２次巻線は、バイポーラトランジスタのベースへの入力信号と同相の負帰還信号を、バイポーラトランジスタのエミッタに出力する。したがって過大な信号がベースへ入力されても、エミッタへの負帰還信号で相殺し、歪みの発生を防ぐことができる。
【手続補正２６】
【補正対象書類名】明細書
【補正対象項目名】００５５
【補正方法】変更
【補正の内容】
【００５５】
また本発明によれば、バイアス回路によって、エミッタにバイアスを与える。このようなバイアス回路にトランスの２次巻線が接続されるので、エミッタに負帰還信号を確実に入力し、過大な入力に対する歪み発生の低減を図ることができる。
【手続補正２７】
【補正対象書類名】明細書
【補正対象項目名】００５６
【補正方法】変更
【補正の内容】
【００５６】
また本発明によれば、トランジスタとして、ソース接地形式の電界効果トランジスタが用いられる。この電界効果トランジスタは、ゲートに入力される入力信号を増幅して出力する。電界効果トランジスタのドレインからの出力信号は、トランスの１次巻線に入力され、トランスの１次巻線からトランスの２次巻線に伝達される。トランスの２次巻線は、電界効果トランジスタのゲートへの入力信号と同相の負帰還信号を、電界効果トランジスタのソースに出力する。したがって過大な信号がゲートへ入力されても、ソースへの負帰還信号で相殺し、歪みの発生を防ぐことができる。
【手続補正２８】
【補正対象書類名】明細書
【補正対象項目名】００５７
【補正方法】変更
【補正の内容】
【００５７】
また本発明によれば、バイアス回路によって、ソースにバイアスを与える。このようなバイアス回路にトランスの２次巻線が接続されるので、ソースに負帰還信号を確実に入力し、過大な入力に対する歪み発生の低減を図ることができる。
【手続補正２９】
【補正対象書類名】明細書
【補正対象項目名】００５８
【補正方法】変更
【補正の内容】
【００５８】
また本発明によれば、増幅手段によって入力信号を増幅して出力する。受信装置は、増幅手段からの出力信号を受信する。増幅手段において、増幅素子は、トランジスタを有し、入力信号を増幅して出力する。増幅素子からの出力信号は、トランスの１次巻線に入力され、トランスの１次巻線からトランスの２次巻線に伝達される。トランスの２次巻線は、増幅素子への入力信号と同相の負帰還信号を、増幅素子に出力する。このような増幅手段は、トランスの１次巻線と２次巻線との巻数比に基づく安定な負帰還増幅回路として動作し、過大入力に伴う歪みを低減することができる。したがって受信装置での受信に対する妨害を抑制することができる。
【手続補正３０】
【補正対象書類名】明細書
【補正対象項目名】００５９
【補正方法】変更
【補正の内容】
【００５９】
また本発明によれば、アンテナによって無線電波が検出される。アンテナによって検出された信号は、入力信号として増幅手段に入力され、増幅手段によって増幅されて出力される。受信装置では、増幅手段からの出力信号を受信する。増幅手段において、増幅素子は、トランジスタを有し、入力信号を増幅して出力する。増幅素子からの出力信号は、トランスの１次巻線に入力され、トランスの１次巻線からトランスの２次巻線に伝達される。トランスの２次巻線は、増幅素子への入力信号と同相の負帰還信号を、増幅素子に出力する。このような増幅手段は、トランスの１次巻線と２次巻線との巻数比に基づく安定な負帰還増幅回路として動作し、過大入力に伴う歪みを低減することができる。したがって受信装置での希望波の受信に対する妨害を抑制することができる。
【手続補正３１】
【補正対象書類名】明細書
【補正対象項目名】００６０
【補正方法】削除
【補正の内容】